(57)【要約】      （修正有）【課題】生物、例えば人間の筋肉の凝りや痛み、切り傷、糖尿病、腫瘍等を迅速に且つ安全に治癒できるようにした小型、安価で取り扱いの容易な医療器を提供する。【解決手段】基準となる大地電位に対して負の変動電位を発生する電源装置１と、電源装置１にリード線３を介して接続され、支持架台７上に金属製電極板９と絶縁体８を順に積層固定して成る量子波放射装置２とを備えるものであり、電源装置１の出力により金属製電極板９に負方向の変動電位を印加して量子波を発生させ、生物の患部組織を活性化して治癒を早める。【選択図】図１
0003200432.tif 000002
【実用新案登録請求の範囲】
【請求項１】
基準となる大地電位に対して負の変動電位を発生する電源装置と、当該電源装置にリード線を介して接続され、支持架台上に金属製電極板を積層固定して成る量子波放射装置とを備えたことを特徴とする電位変動型量子治療器。
【請求項２】
電源装置を、交流電源と、一つ又は二つ整流器とを備えた単相全波整流器とした請求項１に記載の電位変動型量子治療器。
【請求項３】
電源装置を、交流電源と、四つの整流器とを備えた単相ブリッジ整流器とした請求項１に記載の電位変動型量子治療器。
【請求項４】
電源装置を、２〜２０００Ｈｚの交流電源を備えると共に、２〜２０００Ｈｚの半波若しくは全波の負の変動電位を生ずる構成とした請求項１に記載の電位変動型量子治療器。
【請求項５】
金属製電極板を、その一側面に高効率の遠赤外線放射パウダーを重量比で１％以上含有させたゴム又は合成樹脂から成る絶縁性の遠赤外線放射板を備えた金属製電極板とするようにした請求項１に記載の電位変動型量子治療器。
【請求項６】
金属製電極板を、被治療者の載置台とするようにした請求項１に記載の電位変動型量子治療器。
【請求項７】
量子波放射装置を、支持架台と、支持架台の上部に配置した絶縁体と、絶縁体の上部に配置したアルミニウム製又はアルミニウム合金製若しくはステンレス鋼製の電極板とから構成した請求項１に記載の電位変動型量子治療器。
【請求項８】
量子波放射装置を、支持架台と、支持架台の上部に配置した絶縁体と、絶縁体の上部に配置したアルミニウム製又はアルミニウム合金製若しくはステンレス鋼製の電極板と、電極板の上部に配置した遠赤外線放射板とから構成した請求項１に記載の電位変動型量子治療器。
【請求項９】
整流素子をＰＮ型ダイオードとした請求項２又は請求項３に記載の電位変動型量子治療器。
【請求項１０】
遠赤外線放射板を、高効率の遠赤外線放射パウダーを重量比で１％以上含有させたゴム又は合成樹脂から形成するようにした請求項１、請求項６又は請求項８に記載の電位変動型量子治療器。
【請求項１１】
金属電極板が等価漏洩抵抗を介して接地され、金属電極板から大地へ微弱電流が流通する構成とした請求項１、請求項７又は請求項８に記載の電位変動型量子治療器。
【考案の詳細な説明】
【技術分野】
【０００１】
本考案は量子波を用いた新規な治療器に関するものである。具体的には、人体の患部組織に接触させた電極板に電位変動を与えて電極板から量子波を発生させ、当該量子波により人体が浴びる各種の有害な外部電磁波を低減させることにより人体組織を保護したり、或いは、電極板からの量子波を人体の患部組織へ照射、吸収させ、細胞組織等の原子や分子の振動を促進してこれを活性化させることにより、血行を促進させると共に新陳代謝を旺盛にして人の病や患部の治療をするようにした電位変動型量子治療器に関するものである。
【背景技術】
【０００２】
人体の一部へ電極等を取り付けし、発信器等からのマイクロ波や電磁波、電気パルスを人体へ照射することにより患部を治療するようにした治療用機器は、数多く開発され且つ実用に供されている。
しかし、従前のこの種の治療用機器は、何れも構造が複雑で大型であり、高価であると云う問題がある。また、この種の治療用機器は、人体の肩凝りや打ち身、痛み等の人体の皮膚に近い部分の疾患には比較的高い治療効果を有するものの、リューマチ、神経痛、糖尿病、前立腺肥大、腫瘍等の人体深部に生じた内臓疾患に対しては、殆ど治療効果が得られないと云う問題がある（特開平９−２３９０４１、特開平１１−５７０２８、特開２００６−２６１３８、特開平１０−２７２１９１等）。
【０００３】
例えば、図５は、前記特開平９−２３９０４１に係るマイクロ波治療器の構成を示すものであり、マグネトロンＡからのマイクロ波をアンテナ部Ｂから患部へ照射し、患部を温加熱することにより治癒するものであるが、マイクロ波発生装置が大型で高価なうえ、患部を温加熱しただけでは切り傷や腫瘍の治癒が出来ないと云う難点がある。
尚、図５において、２１は電源回路、２２はタイマー回路、２３はパルス発生回路、２４は変圧器、２５は整流回路、２６はＳＳＲ、２７は表示部である。
【０００４】
図６は、従前の電気パルス式治療器の構成を示すものであり、パルス発生器からの電圧パルスを人体の患部へ加えることにより筋肉に電気刺激を与えて血行の促進、筋肉組織の活性化及び再生を図り、患部を治療するものである（特開平１１−５７０２８及び特開２００６−２６１３８等）。しかし、この種の電気パルス式治療器は前記マイクロ波治療器の場合と同様に、治療器が高価なだけでなく、患部に電気刺激を与えて血行の促進、筋肉組織の活性化等を図るだけでは凝りや痛みを短期間で低減することが困難であり、また、切り傷やリューマチ、神経痛、糖尿病、前立腺肥大、癌等の人体深部に生じた内臓疾患の治療は出来ないと云う難点がある。
尚、図６において、２８は電源、２９は基本周波数発振器、３０は高周波発振器、３２はパルス加算器、３３は電極である。
【先行技術文献】
【特許文献】
【０００５】
【特許文献１】特開平９−２３９０４１号
【特許文献２】特開平１１−５７０２８号
【特許文献３】特開２００６−２６１３８号
【特許文献４】特開平１０−２７２１９１号
【特許文献５】特開平８−１８７４２８号
【考案の概要】
【考案が解決しようとする課題】
【０００６】
本考案は、従前のマイクロ波治療器や高・低周波式治療器における上述の如き問題、即ち、治療器が大型で高価であること、取り扱いが複雑なこと、凝りや痛みを短期間で低減することが困難なこと、切り傷やリューマチ、神経痛、糖尿病、前立腺肥大、癌等の人体深部に生じた内臓疾患の治療に適用出来ないこと、等の問題を解決しようとするものであり、凝りや痛みの治療の他に切り傷やリューマチ、神経痛、癌等の内臓疾患の治療にも適用が可能で、しかも構造が簡単で安価な小型治療器を提供することを考案の主目的とするものである。
【課題を解決するための手段】
【０００７】
本願考案者は永年に亘って、高周波電磁波を利用した物質の改質方法を開発し、これを実施してきた（特開平８−１８７４２８号等）。又、当該物質の改質方法の開発研究を通して、人体の筋肉組織等内の水の活性を高めることにより筋肉組織そのものの活性や再生、修復等が図れることを知得した。
【０００８】
又、近年、電磁波の一種であるテラヘルツ波が有する人間の各種患部（例えば、凝りや痛み、切り傷、腫瘍等）に対する治療効果が注目されだしており、これと平行して、近代量子物理学の論理に基づくテラヘルツ波等の各種量子波の発生機構や量子波発生装置の開発、及び量子波の奏する前記治癒効果の解明が進められており、本願考案者も上記量子波発生装置の開発やその治癒効果の試験・研究を数多く積み重ねて来た。
【０００９】
本願考案は、上記の量子及ぶ量子波に関する各種の試験と試験結果の分析を通して創作されたものであり、請求項１の考案は、基準となる大地電位に対して負の変動電位を発生する電源装置と、当該電源装置にリード線を介して接続され、支持架台上に金属製電極板を積層固定して成る量子波放射装置とを備えたことを考案のこ基本構成とするものであり、前記電源装置からの出力により金属製電極板に掛かる負の電位を変動させて量子波を発生させ、生物の患部を量子波にさらして患部組織を活性化することにより、損傷した患部組織を治癒するようにしたものである。
【００１０】
請求項２の考案は、請求項１の考案において、電源装置を、交流電源と一つ又は二つ整流器とを備えた単相全波整流器としたものである。
【００１１】
請求項３の考案は、請求項１の考案において、電源装置を、交流電源と四つの整流器とを備えた単相ブリッジ整流器としたものである。
【００１２】
請求項４の考案は、請求項１の考案において、電源装置を２〜２０００Ｈｚの交流電源を備えると共に、２〜２０００Ｈｚの半波若しくは全波の負の変動電位を生ずる構成としたものである。
【００１３】
請求項５の考案は、請求項１の考案において、金属製電極板を、その一側面に高効率の遠赤外線放射パウダーを重量比で１％以上含有させたゴム又は合成樹脂から成る遠赤外線放射板を備えた金属製電極板とするようにしたものである。
【００１４】
請求項６の考案は、請求項１の考案において、遠赤外線放射板を絶縁性を備えた被治療者の載置台とするようにしたものである。
【００１５】
請求項７の考案は、請求項１の考案において、量子波放射装置を、支持架台と、支持架台の上部に配置した絶縁体と、絶縁体の上部に配置したアルミニウム製又はアルミニウム合金製若しくはステンレス鋼製の金属電極板とから構成するようにしたものである。
【００１６】
請求項８の考案は、請求項１の考案において、量子波放射装置を、支持架台と、支持架台の上部に配置した絶縁体と、絶縁体の上部に配置したアルミニウム製又はアルミニウム合金製若しくはステンレス鋼製の金属電極板と、金属電極板の上部に配置した遠赤外線放射板とから構成したものである。
【００１７】
請求項９の考案は、請求項２又は請求項３の考案において、整流素子をＰＮ型ダイオードとしたものである。
【００１８】
請求項１０の考案は、請求項１、請求項５、請求項６、又は請求項８の考案において、遠赤外線放射板を、高効率の遠赤外線放射パウダーを重量比で１％以上含有させたゴム又は合成樹脂から形成するようにしたものである。
【００１９】
請求項１１の考案は、請求項１、請求項７、又は請求項８に記載の考案において、金属製電極板が等価漏洩抵抗を介して接地され、金属製電極板から大地へ所望の微弱電流が通電するようにしたものである。
【考案の効果】
【００２０】
本願考案では、電位変動型量子治療器を、基準となる大地電位に対して負の変動電位を発生する電源装置と、当該電源装置にリード線を介して接続され、支持架台上に金属製電極板を、又は、支持架台上に金属製電極板と遠赤外線放射板とを積層固定してなる量子波放射装置とを備えた構成とし、前記電源装置からの出力電圧ｖにより導電体製電極板の電位を対地に対して負方向に変動する変動電位とし、これによって、金属製電極板から量子波又は量子波と遠赤外線とを放射させて生物の患部へ照射し、患部組織を活性化することにより患部組織の再生を図るようにしている。
【００２１】
即ち、電源装置から、前記交番電圧ｖが金属製電極板に印加されることにより、当該電源装置にリード線を介して接続され当該電源装置にリード線を介して接続された金属製電極板の負方向電位が変動して金属製電極板の表面やその近傍の電場が変動し、患部組織が変動電場にさらされることになる。
【００２２】
上記金属製電極板の電位変動により電場が変動すると、金属製電極板を構成する素材の原子の外殻電子軌道に変動が生じて原子核の陽子（プラスイオン）や中性子等が振動し、この振動に基づいてクウォークやニュートリノ等の量子波等が放射される。尚、前記量子波の発生は実験により確認されており、また、発生する量子波の振動数やそのエネルギー量は、金属原子の質量数、原子の結合状態、印加される負電位の周波数等により決定されることが実験により確認されている。
【００２３】
又、この量子波が他の原子に照射されると、原子の結合状態が変わってその物性が変化することになり、そのため、量子波が人体の細胞内のＤＮＡの構成原子に照射されると、ＤＮＡの歪や結合状態が修正されると想定されている。
【００２４】
更に、量子波は、遠赤外線放射体の構成原子の結合や結晶構造に変化を与え、これによって遠赤外線の放射率や放射量が向上すると想定されている。
上述の如き量子波又は量子波と遠赤外線の相乗作用により、人体の違和感や病気が改善されると想定されている。
【００２５】
より具体的には、量子波の照射により、金属製電極板に接触又はその近傍に位置する生物の幹部組織の分子や原子の振動が激しくなり、生物組織を構成する分子や原子の集団の振動が旺盛と成る。これにより、人体組織内の水や液体成分が活性化され、組織の再生が速まることになる。
【００２６】
即ち、生物組織等の活性化が促進され、血行の促進や新陳代謝が高まると共に、マイナス方向の電場変動により電子が付加されることにより生物組織内の水分の還元性が高り、組織の酸化が仰制されて化膿等が防止される。
【００２７】
また、金属製電極板に遠赤外線放射板を設け、この遠赤外線放射板を患部組織へ接触又は患部組織に近づけるようにした場合には、金属製電極板からの量子波エネルギーと金属製電極板に設けた遠赤外線放射体板からの遠赤外線放射エネルギーが患部組織へ照射されることと成り、熱運動等によって患部組織を構成する分子や原子の集団が激しく振動をくり返すことになる。換言すれば、量子波等の照射エネルギーに加えて遠赤外線放射エネルギーが加わることにより、患部組織の血行の改善や新陳代謝がより高められて治療効果が一層向上する。
【００２８】
このように、本考案に係る電位変動型量子治療器は、生物の患部の治療に高い効用を有するものであり、臨床テストによってその効用が確認されている。
但し、上記本考案に係る電位変動型量子治療器が、生物組織の凝りや痛み、神経痛、リューマチ、糖尿病、癌等に対して高い臨床上の治療効果を奏することについての理論的な解析は、未だ十分且つ完全なレベルにまで行なわれていない。従がって、当該電位変動型量子治療器の奏する治療効果の原因や作用、機構については不明な点が多く存在するが、本願考案にかかる電位変動型量子治療器は、現実に高い人体に対する治療効果と治癒効果を奏するものである。
【００２９】
尚、人の疾患の種別やその部位に応じて、前記交流電源の周波数を適宜に選定することにより、より効果的な患部の治療が行なえ、早期治療が可能となる。
【図面の簡単な説明】
【００３０】
【図１】本考案に係る電位変動型量子治療器の第１実施形態を示す説明図である。
【図２】本考案に係る電源装置の他の実施例を示す概要説明図である。
【図３】本考案に係る電源装置のその他の実施例を示す概要説明図である。
【図４】本考案に係る量子波放射装置の第２実施形態を示す説明図である。
【図５】従前のマイクロ波式医療器の概要説明図である。
【図６】従前の低周波式医療器の概要説明図である。
【考案を実施するための形態】
【００３１】
以下、図面に基づいて本考案の実施形態を説明する。
図１は、本考案に係る電位変動型量子治療器の実施形態を示す説明図であり、人体の打撲等による痛みや腫れを有する部位、凝りのある部位、切り傷を負った部位、リューマチ、神経痛、前立腺肥大、糖尿病、癌等の治療を行なう場合を示すものである。
【００３２】
図1を参照して、本考案に係る電位変動型量子治療器は、発信器に相当する電源装置１と、リード線３を介して電源装置１に接続した量子波放射装置２とからその主要部が構成されている。
【００３３】
前記電源装置１は、交流電源２と、これに直列に接続した抵抗Ｒと、整流素子５とから形成されており、交流電源２の一方の出力側は端子３ａへ接続され、接地６されている。また、交流電源２の他方の出力側は、抵抗Ｒ及び整流素子５を通して端子３ｂへ接続されている。
【００３４】
前記量子波放射装置２は、地上に設置した支持架台７と、その上面に配置した絶縁体８と、絶縁体８の上面に配置した金属製電極板９と、金属製電極板９の上部に配置した絶縁性を備えた遠赤外線放射板１０と、遠赤外線放射板１０の上部に配置したマット体１１とからその主要部が構成されている。尚、遠赤外線放射板１０としては、人間が乗った場合の安定性を高めるために、図１に示すように、その形態をは、単なる平板上よりも所謂船形の載置台とするのが望ましい。
又、前記支持架台７が絶縁性を備えたものであれば、前記絶縁体８を省略することが出来る。更に、遠赤外線放射板１０を省略すると共に、マット体１１を絶縁性を有するものとすることも可能である。
【００３５】
尚、図１において、１ａはケース、４ａは接地側出力端子、４ｂは非接地側出力端子、３ａ・３ｂは電源の出力側端子、３はリード線、６は接地点、１２は人間、１３は入力端子、ｖは交流電源の電圧波形、ｉは電圧ｖによる電流、Ｒａは等価漏洩抵抗である。
【００３６】
正弦波交流電源４を作動させると、端子３ａ，３ｂ間に前記負方向の電圧ｖが印加され、リード線３と量子波放射装置２の金属製電極板９と等価漏洩抵抗Ｒａ等を通して、電圧ｖによる半波整流された微弱な交番電流ｉが流通する。
また、金属製電極板９には、負方向の電圧ｖによる半波整流された微弱な交番電流ｉが流通することにより、その負方向の電位が変動するとともに電場も変動することになる。これによって、前述の通りに金属製電極板９から量子波が放射され、人体患部の組織が活性化等の変化を受けることになる。尚、金属製電極板９は、図１に示すように等価漏洩抵抗Ｒａを介して接地された状態となっているため、等価漏洩抵抗Ｒａを通して前記所望の微弱電流ｉが流通することになる。
【００３７】
尚、前記電源装置（発信器）１の交流電源４の出力電圧ｖ及び周波数は、人間の病の種類や部位等に応じて適宜に選定され、１２〜１００（望ましくは２５〜５０）Ｖ及び２から２０００Ｈｚ（望ましくは５０〜６０Ｈｚ）程度が最適であることが、実験的に確認されている。
同様に、金属製電極板９の材質としては、アルミニウム、アルミニウム合金又はステンレス鋼が最適であり、その中でもアルミニウムは、量子波の発生効率の点からもっとも望ましいことが確認されている。
更に、前記遠赤外線放射板１０は、高効率の遠赤外線放射パウダーを重量比で１％以上含有させたゴム又は合成樹脂から成る遠赤外線放射板とするのが、所謂遠赤外線による治療効果を高める上で好都合なことが、実験により確認されている。
【００３８】
図２は、電源装置１の他の例を示すものであり、２個の整流素子５を用いた所謂単相全波整流構成の電源装置１としたものである。尚、Ｔはトランス、Ｔｎは２次巻線の中性点である。
【００３９】
また、図３は、電源装置１の更に他の例を示すものであり、４個の整流素子５を用いた所謂ブリッジ形単相全波整流構成の電源装置１としたものである。尚、Ｔはトランスである。
【００４０】
尚、図１〜図３の電源装置１自体の構成そのものは公知であるため、ここではその詳細な説明は省略する。
【００４１】
上述のように、金属製電極板９に生じたマイナス電位の変動により、前述の通り金属製電極板９等から量子波は放射され、その結果、被治療者（人間）１２の患部組織の原子の電子配列等が影響を受けて変化する事になり、治療効果が奏される。
【００４２】
尚、上記人間の患部組織への量子波等の照射による患部の治療効用については、現時点においては理論的に完全に解明されているとは言えない実情にある。しかし、これ等の治癒効果は、何れも試験や実験によって確認されているものである。
【実施例１】
【００４３】
電源装置１として、交流電源４の周波数が５０〜６０Ｈｚ、最大発信出力５ワットのものを用いると共に、金属製電極板９をアルミニウム製板（１０００ｍｍ×２０００ｍｍ×５ｍｍ（厚さ））とし、又、遠赤外線放射板１０として前記金属製電極板９と縦・横が略同寸法（但し、厚さは３ｍｍ）のものを使用した。
人間１２を遠赤外線放射板１０の上方に寝かせ、肩部のこりや痛みの解消治療試験を行った。具体的には、１回１０分間の治療を５分間隔で３回間連続して行い、肩こりや痛みの解消状態の比較テストを行なった。尚、電源装置（発信器）１の平均出力は、０．５ワットであった。
【００４４】
上記試験の被試験対象者は５人であり、各被試験対象者の夫々に同一の負荷条件を付与して肩こり及び痛みを発生させ、１回・１０分間・５分間隔で３回の機械式マッサージによる治療と、１日間の連続した薬剤付きシップ材の貼り付け治療と、１日間の連続した薬剤の塗布治療の３種類の治療を、夫々７日間の間隔を置いて被試験対象者に行なない、肩凝り及び痛みの解消状況を調査した。
【００４５】
調査の結果に依れば、試験対象５人の内の全員が、本考案の電位変動型量子治療器による治療が最も肩こりや痛みの治癒効果の高いことを認めており、本考案の優れた効用が証明されている。
【００４６】
図４は、本考案の第２実施態を示すものであり、図１における量子波放射装置２を、小型の携帯型量子波放射装置としたものである。即ち、当該量子波放射装置は、上面を開放したケース体１６の内部へ、絶縁体８、アルミニウム製電極板９、遠赤外線放射板１０を順次積層状に収納固着することにより形成されており、人体の患部へ上記量子波放射装置２の遠赤外線放射板１０を押し当てした状態で使用される。
【００４７】
尚、図４に於いて、上記遠赤外線放射体板１０を省略すると共に、これに変えて絶縁性のマット体（図示省略）を設ける構成とし、量子波のみを利用する携帯型量子波放射装置２とするようにしても良い。
又、金属製電極板９の外表面に上記遠赤外線放射体板１０を配置した場合には、遠赤外線による患部組織の活性化等の所謂遠赤外線効果が量子波の照射効果に相乗されるため、患部組織の新陳代謝が一層促進されることになり、患部の治療・修復や肉芽形成等の治癒が良好に行なわれる。
【００４８】
また、所謂遠赤外線効果による血行の促進が一層図られることになり、痛みや凝りがより早期に解消されることになる。
【００４９】
本考案では、電源装置（発信器）1を単相交流電源４のみを用いた構成としているが、前記単相交流電源４と、ＬＣ並列回路とを組合わせした構成の電源装置１として、外部電磁波に起因するＬＣ並列回路の出力電圧と交流電源４の出力電圧との重畳電圧を出力する構成の電源装置としても良いことは勿論である。  尚、電源装置（発信器）1そのものは公知であるため、ここではその詳細な説明は省略する。
又、本実施形態では、絶縁体８や遠赤外線放射板１０を所謂板状としているが、塗布等により形成した塗膜状の絶縁体８や塗膜状の遠赤外線放射板１０としても良いことは勿論である。
【００５０】
本発明は上述の如く、金属製電極板９に負方向の電位変動を与えて量子波を発生させる構成としているため、あらゆる生物、特に人間の身体患部の治療を効率的に行なえ、患部の迅速な治癒を達成することができると云う優れた実用的効用を奏するものである。
【産業上の利用可能性】
【００５１】
本発明は、人間や動物の患部の治療のみならず、農畜産業や漁業等の分野においても利用可能なものである。
【符号の説明】
【００５２】
１    電源装置（発信器）
２    量子波放射装置
３    リード線
３ａ  接地側出力端子
３ｂ  非接地側出力端子
４    交流電源
４ａ  接地側端子
４ｂ  非接地側端子
５    整流素子（ＰＮ型ダイオード）
６    アース点
Ｔ    トランス
Ｔｎ  巻線の中性点
７    支持架台
８    絶縁体
９    金属製電極板
１０  遠赤外線放射板
１１  マット体
１２  被治療者（人間）
１３  入力端子
１４  金属ケース
Ｒ    抵抗
Ｒａ  等価漏洩抵抗
ｖ    交流電源電圧
ｉ    電流 
【図１】
0003200432.tif 000003
【図２】
0003200432.tif 000004
【図３】
0003200432.tif 000005
【図４】
0003200432.tif 000006
【図５】
0003200432.tif 000007
【図６】
0003200432.tif 000008
【手続補正書】
【提出日】平成27年8月6日(2015.8.6)
【手続補正１】
【補正対象書類名】実用新案登録請求の範囲
【補正対象項目名】請求項１０
【補正方法】変更
【補正の内容】
【請求項１０】
遠赤外線放射板を、高効率の遠赤外線放射パウダーを重量比で１％以上含有させたゴム又は合成樹脂から形成するようにした請求項８に記載の電位変動型量子治療器。